【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
以下の：
（ａ）電源、及び患者の皮膚部との電気的結合のための、上記電源と電気的に接続している少なくとも２つの電極を含む皮膚パッチ；及び
（ｂ）上記少なくとも２つの電極の少なくとも一方への付着のための導電性流体、及び／又は上記患者の皮膚部への局所適用のための導電性流体を保持するための少なくとも１つのリテイナ；
を含み、上記パッチが、皮膚及び上記導電性流体を通して電流を流すために設計及び構成され、そして上記電流が、上記皮膚部への電流及び／又は電圧の導入のための電流、並びに／あるいは少なくとも１種類の物質の経皮又は皮内デリバリーのための電流であるキット。
【請求項２】
前記導電性流体が、水性ベースの流体である、請求項１に記載のキット。
【請求項３】
前記導電性流体がヒドロゲルである、請求項１に記載のキット。
【請求項４】
前記導電性流体が、ゲル、クリーム、ペースト、ローション、懸濁液、エマルジョン、及び溶液から成る群から選ばれる、請求項１に記載のキット。
【請求項５】
前記電流が、イオン導入、電気泳動、電気穿孔、又はあらゆるその組み合わせを引き起こすための電流である、請求項１に記載のキット。
【請求項６】
前記リテイナが、容器、チューブ、広口瓶、コンテナ、ディスペンサー、セパレータ、及びアンプルから成る群から選ばれる、請求項１に記載のキット。
【請求項７】
前記少なくとも２つの電極が、前記電源と一体的に形成される、請求項１に記載のキット。
【請求項８】
前記電源及び前記少なくとも２つの電極が、前記パッチの唯一の構成要素である、請求項１に記載のキット。
【請求項９】
前記皮膚パッチが、前記患者の皮膚部に接着させるためのアタッチメント機構をさらに含む、請求項１に記載のキット。
【請求項１０】
前記皮膚パッチが、前記電流を制御するための電気回路をさらに含む、請求項１に記載のキット。
【請求項１１】
前記電源が、柔軟な薄層電気化学セルである、請求項１に記載のキット。
【請求項１２】
前記電気化学セルが、柔軟な薄層開放型液状電気化学セルであって、ここで、上記電気化学セルが、１層目の不溶性陰極、２層目の不溶性陽極、及び３層目の水性電解質を含み、上記３層目が、１層目と２層目の間に配置され、かつ、以下の：
（ａ）開放型セルを湿っている状態に常に保つための潮解性材料；
（ｂ）必要とされるイオン伝導率を得るための可溶性の電気活性材料；及び
（ｃ）上記１層目及び２層目を３層目に粘着させるために必要とされる粘性を得るための水溶性重合体、
を含む、請求項１に記載のキット。
【請求項１３】
包装されて、そして創傷治癒の用途、傷跡予防の用途、傷跡縮小の用途、組織修復の用途、組織再生の用途、及び酒さ治療の用途から成る群から選ばれる用途に特定される、請求項１に記載のキット。
【請求項１４】
前記キットが、少なくとも１種類の物質の経皮又皮内デリバリー・キットである、請求項１に記載のキット。
【請求項１５】
前記導電性流体が、前記少なくとも１種類の物質を含む、請求項１４に記載のキット。
【請求項１６】
前記少なくとも１種類の物質が荷電物質である、請求項１５に記載のキット。
【請求項１７】
前記少なくとも１種類の物質が非荷電物質である、請求項１５に記載のキット。
【請求項１８】
前記少なくとも１種類の物質が、医薬、化粧品、及び美容食品から成る群から選ばれる、請求項１５に記載のキット。
【請求項１９】
前記医薬が、治療薬及び麻酔薬から成る群から選ばれる、請求項１８に記載のキット。
【請求項２０】
前記リテイナがセパレータであって、上記セパレータが、前記少なくとも２つの電極の少なくとも一方と、当該セパレータを介して接触することによって、前記電流が前記少なくとも１種類の物質の前記経皮又は皮内デリバリーを引き起こすような、皮膚部への付着のためのセパレータである、請求項１５に記載のキット。
【請求項２１】
前記リテイナがセパレータであって、上記セパレータが、前記皮膚部と、当該セパレータを介して接触することによって、前記電流が前記少なくとも１種類の物質の前記経皮又は皮内デリバリーを引き起こすような、前記少なくとも２つの電極の少なくとも一方への付着のためのセパレータである、請求項１５に記載のキット。
【請求項２２】
前記セパレータが取り外し可能なカバー内に含まれている、請求項２０に記載のキット。
【請求項２３】
前記少なくとも２つの電極の少なくとも一方の電極が、前記少なくとも１種類の物質の移動のための電極である、請求項１４に記載のキット。
【請求項２４】
前記キットが、患者の皮膚部への電流及び／又は電圧の導入キットである、請求項１に記載のキット。
【請求項２５】
前記リテイナが、前記皮膚部への付着のためのセパレータである、請求項２４に記載のキット。
【請求項２６】
前記リテイナが、前記少なくとも２つの電極の少なくとも一方への付着のためのセパレータである、請求項２４に記載のキット。
【請求項２７】
電源、及び上記電源に電気的に結合した少なくとも２つの電極を含む皮膚パッチの使用方法であって、以下のステップ：
（ａ）患者の皮膚部に導電性流体を局所的に適用し、及び／又は上記皮膚パッチの少なくとも２つの電極に上記導電性流体を付着させ；
（ｂ）上記電極が上記患者の皮膚部と導電的に結合するように上記皮膚パッチを配置し；そして
（ｃ）上記患者の皮膚部に導電性流体を通して電流を流す、
を含む前記方法。
【請求項２８】
前記皮膚部への、前記伝導性流体中に含まれる少なくとも１つの物質のデリバリーを促進するステップをさらに含む、請求項２７に記載の方法。
【請求項２９】
前記少なくとも１つの物質が経皮的または皮内的にデリバリーされる、請求項２８に記載の方法。
【請求項３０】
前記皮膚パッチが薄く、柔軟なパッチである、請求項１に記載のキット。
【請求項３１】
前記皮膚パッチがパッチ本体をさらに含み、かつ、前記電気化学セル及び前記少なくとも２つの電極が、当該少なくとも２つの電極の間の間隔を明確にするように互いに対して隔離して上記パッチ本体上に並べられる、請求項１に記載のキット。
【請求項３２】
前記パッチに動力を供給するための少なくとも１つの電源、及び患者の皮膚部と電気的に結合するための、当該電気に電気的に接続した少なくとも２つの電極を含む皮膚パッチ。
【請求項３３】
患者の皮膚部に電流及び／または電圧を導入するための、請求項３２に記載のパッチ。
【請求項３４】
患者の皮膚部への少なくとも１つの物質の皮膚デリバリー、経皮デリバリー、及び皮内デリバリーの少なくとも１つ、またはその組み合わせのための、請求項３２に記載のパッチ。
【請求項３５】
前記パッチが薄く柔軟なパッチである、請求項３２に記載のパッチ。
【請求項３６】
前記少なくとも２つの電極が前記電源と一体的に形成されている、請求項３２に記載のパッチ。
【請求項３７】
前記パッチがパッチ本体をさらに含み、かつ、前記電源及び前記少なくとも２つの電極が、当該少なくとも２つの電極の間の間隔を明確にするように互いに対して隔離して上記パッチ本体上に並べられる、請求項３２に記載のパッチ。
【請求項３８】
前記パッチが、前記患者の皮膚部に接着させるためのアタッチメント機構をさらに含む、請求項３２に記載のパッチ。
【請求項３９】
前記パッチが、前記電流を制御するための電気回路をさらに含む、請求項３２に記載のパッチ。
【請求項４０】
前記電源が、柔軟な薄層電気化学セルである、請求項３２に記載のパッチ。
【請求項４１】
前記電気化学セルが、柔軟な薄層開放型液状電気化学セルであって、ここで、上記電気化学セルが、１層目の不溶性陰極、２層目の不溶性陽極、及び３層目の水性電解質を含み、上記３層目が、１層目と２層目の間に配置され、かつ、以下の：
（ａ）開放型セルを湿っている状態に常に保つための潮解性材料；
（ｂ）必要とされるイオン伝導率を得るための可溶性の電気活性材料；及び
（ｃ）上記１層目及び２層目を３層目に粘着させるために必要とされる粘性を得るための水溶性重合体、
を含む、請求項４０に記載のパッチ。
【請求項４２】
包装されて、そして創傷治癒の用途、組織修復の用途、組織再生の用途、電気刺激適用の用途、及び酒さ治療の用途から成る群から選ばれる用途に特定される、請求項３２に記載のパッチ。
【請求項４３】
伝導性流体をさらに含む、請求項３２に記載のパッチ．
【請求項４４】
前記伝導性流体が少なくとも１つの物質をさらに含み、かつ、当該伝導性流体が前記少なくとも２つの電極に事前に適用され、そして前記パッチが皮膚に接触することで、上記少なくとも１つの物質が経皮的にまたは皮内的にデリバリーされるように電流が伝導性流体及び患者の皮膚を通ってデリバリーされる、請求項４３に記載のパッチ。
【請求項４５】
前記伝導性流体が水性ハイドロゲルである、請求項４３に記載のパッチ。
【請求項４６】
前記少なくとも１つの物質が、薬剤、化粧品、薬用化粧品、及び水分から成る群から選ばれる、請求項４４に記載のパッチ。
【請求項４７】
以下の：
患者の皮膚部への電気的結合のための、少なくとも１つの薄く柔軟な陰極及び少なくとも１つの薄く柔軟な陽極；
当該パッチに電力を供給する、少なくとも１つの陰極及び少なくとも１つの陽極に電気的に結合した薄く柔軟な電源；並びに
当該パッチと一体的に形成された、少なくとも１つの陰極及び少なくとも１つの陽極に付着した少なくとも１つの伝導性流体／組成物、
を含む薄く柔軟な皮膚パッチ。
【請求項４８】
前記少なくとも１つの陰極、前記少なくとも１つの陽極、及び前記薄く柔軟な電源が、各々の電極間の接触を避けるために互いに対して隔離してパッチ本体上に並べられる、請求項４７に記載の薄く柔軟なパッチ。
【請求項４９】
前記少なくとも１つが陰極及び前記少なくとも１つの陽極が、印刷技術を使って前記パッチ本体に適用される、請求項４８に記載の薄く柔軟なパッチ。
【請求項５０】
裏地で覆われている、請求項４７に記載の薄く柔軟なパッチ。
【請求項５１】
前記伝導性流体／組成物が少なくとも１つの活性物質を含む、請求項４７に記載の薄く柔軟なパッチ。
【請求項５２】
前記活性物質が、薬剤、薬用化粧品、化粧品、水分、またはその組み合わせから成る群から選ばれる、請求項４７に記載の薄く柔軟なパッチ。
【請求項５３】
患者の皮膚部への活性物質のデリバリーを促進するための、請求項４７に記載の薄く柔軟なパッチ。
【請求項５４】
患者の皮膚部分に電流／電圧をデリバリーするための、請求項４７に記載の薄く柔軟なパッチ。
【請求項５５】
少なくとも１つの電極が医用電極であり、かつ、少なくとも１つの電極が粘着性電極である、請求項４７に記載の薄く柔軟なパッチ。
【請求項５６】
前記伝導性流体／組成物が前記医用電極上に付着している、請求項５５に記載の薄く柔軟なパッチ。
【請求項５７】
前記電源が薄く柔軟な電気化学セルを含み、そして当該薄く柔軟な電気化学セルが、１層目の不溶性陰極、２層目の不溶性陽極、及び３層目の水性電解液を含む薄く柔軟な開放液状電気化学セルであって、上記３層目が上記１及び２層目の間に配置され、そして以下の：
常に上記開放セルの湿気を維持するための潮解性材料；
必要とされるイオン伝導度を得るための電気活性可溶性材料；及び
上記１及び２層目を３層目に接着するために必要とされる粘性を得るための水溶性ポリマー、
を含む、請求項４７に記載の薄く柔軟なパッチ。
【請求項５８】
前記少なくとも１つの物質が少なくとも１つの抗生物質である、請求項１５に記載のキット。
【請求項５９】
前記少なくとも１つの物質が少なくとも１つの抗生物質である、請求項４４に記載のパッチ。
【請求項６０】
前記少なくとも１つの物質が少なくとも１つの抗生物質である、請求項５１に記載の薄く柔軟なパッチ。
【手続補正２】
【補正対象書類名】図面
【補正対象項目名】全図
【補正方法】変更
【補正の内容】
【図１】
2005506158.tif 000001
【図２】
2005506158.tif 000002
【図３】
2005506158.tif 000003
【図４】
2005506158.tif 000004
【図５】
2005506158.tif 000005
【図６】
2005506158.tif 000006